(57)【特許請求の範囲】
【請求項１】
ユーザ機器（ＵＥ）において制御情報を獲得するための無線通信の方法であって、
弱いセルによって送信されたシステム信号から同期パラメータを取得することと、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記複数の近隣セルのうちの少なくとも１つの他のセルから、前記弱いセルのリソース・スケジューリング情報を取得することと、
前記複数の近隣セルのうちの少なくとも１つの強いセルの１または複数の信号をキャンセルすることと、ここで、前記少なくとも１つの強いセルは、前記弱いセルからの信号と干渉する、
前記弱いセルからブロードキャストされたシステム・ブロックを、前記リソース・スケジューリング情報を用いて識別することと、
前記ブロードキャストされたシステム・ブロックから、制御情報を検索することと、
を備える方法。
【請求項２】
前記少なくとも１つの強いセルは、前記ＵＥによるアクセスが禁止される、請求項１に記載の方法。
【請求項３】
前記同期パラメータを取得することは、
前記複数の近隣セルから、前記弱いセルを識別することと、
前記弱いセルによって送信されたシステム信号から、前記同期パラメータを復号することと
を備える、請求項１に記載の方法。
【請求項４】
前記弱いセルを識別することは、位置基準信号（ＰＲＳ）を用いて、前記弱いセルを探索することを備える、請求項３に記載の方法。
【請求項５】
前記リソース・スケジューリング情報を取得することは、
前記複数の近隣セルからの少なくとも１つのより強いセルのシステム情報ブロック（ＳＩＢ）から時分割多重（ＴＤＭ）サブフレーム区分情報を復号することを備え、
前記リソース・スケジューリング情報は、前記復号されたＴＤＭサブフレーム区分情報を備える、請求項１に記載の方法。
【請求項６】
前記リソース・スケジューリング情報を取得することは、前記複数の近隣セルのうちの１つの、イボルブド・ブロードキャスト・チャネルにおいて、複数のビットから、専用のリソース識別情報を読み取ることを備え、
前記リソース・スケジューリング情報は、前記専用のリソース識別情報を用いて取得される、請求項１に記載の方法。
【請求項７】
前記リソース・スケジューリング情報は、第２のＵＥによる使用のために指定された少なくとも１つのリソースを示し、
前記第２のＵＥは、前記弱いセルによってサービス提供される、請求項１に記載の方法。
【請求項８】
無線通信のために構成されたユーザ機器（ＵＥ）であって、
弱いセルによって送信されたシステム信号から同期パラメータを取得する手段と、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記複数の近隣セルのうちの少なくとも１つの他のセルから、前記弱いセルのリソース・スケジューリング情報を取得する手段と、
前記複数の近隣セルのうちの少なくとも１つの強いセルの１または複数の信号をキャンセルする手段と、ここで、前記少なくとも１つの強いセルは、前記弱いセルからの信号と干渉する、
前記弱いセルからブロードキャストされたシステム・ブロックを、前記リソース・スケジューリング情報を用いて識別する手段と、
前記ブロードキャストされたシステム・ブロックから、制御情報を検索する手段と、
を備えるユーザ機器。
【請求項９】
前記少なくとも１つの強いセルは、前記ＵＥによるアクセスが禁止される、請求項８に記載のユーザ機器。
【請求項１０】
前記同期パラメータを取得する手段は、
前記複数の近隣セルから、前記弱いセルを識別する手段と、
前記弱いセルによって送信されたシステム信号から、前記同期パラメータを復号する手段と
を備える、請求項８に記載のユーザ機器。
【請求項１１】
前記弱いセルを識別する手段は、位置基準信号（ＰＲＳ）を用いて、前記弱いセルを探索する手段を備える、請求項１０に記載のユーザ機器。
【請求項１２】
前記リソース・スケジューリング情報を取得する手段は、前記複数の近隣セルのうちの少なくとも１つのより強いセルのシステム情報ブロック（ＳＩＢ）から時分割多重（ＴＤＭ）サブフレーム区分情報を復号する手段を備え、
前記リソース・スケジューリング情報は、前記復号されたＴＤＭサブフレーム区分情報を備える、請求項８に記載のユーザ機器。
【請求項１３】
前記リソース・スケジューリング情報を取得する手段は、前記複数の近隣セルのうちの１つの、イボルブド・ブロードキャスト・チャネルにおいて、複数のビットから、専用のリソース識別情報を読み取る手段を備え、
前記リソース・スケジューリング情報は、前記専用のリソース識別情報を用いて取得される、請求項８に記載のユーザ機器。
【請求項１４】
前記リソース・スケジューリング情報は、第２のＵＥによる使用のために指定された少なくとも１つのリソースを示し、
前記第２のＵＥは、前記弱いセルによってサービス提供される、請求項８に記載のユーザ機器。
【請求項１５】
記録されたプログラム・コードを有するコンピュータ読取可能な記録媒体であって、前記プログラム・コードは、
弱いセルによって送信されたシステム信号から同期パラメータを取得するためのプログラム・コードと、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記複数の近隣セルのうちの少なくとも１つの他のセルから、前記弱いセルのリソース・スケジューリング情報を取得するためのプログラム・コードと、
前記複数の近隣セルのうちの少なくとも１つの強いセルの１または複数の信号をキャンセルするためのプログラム・コードと、ここで、前記少なくとも１つの強いセルは、前記弱いセルからの信号と干渉する、
前記弱いセルからブロードキャストされたシステム・ブロックを、前記リソース・スケジューリング情報を用いて識別するためのプログラム・コードと、
前記ブロードキャストされたシステム・ブロックから、制御情報を検索するためのプログラムコードと
を備える、コンピュータ読取可能な記録媒体。
【請求項１６】
前記少なくとも１つの強いセルは、前記ＵＥによるアクセスが禁止される、請求項１５に記載のコンピュータ読取可能な記録媒体。
【請求項１７】
前記同期パラメータを取得するためのプログラム・コードは、
前記複数の近隣セルから、前記弱いセルを識別するためのプログラム・コードと、
前記弱いセルによって送信されたシステム信号から、前記同期パラメータを復号するためのプログラム・コードと
を備える、請求項１５に記載のコンピュータ読取可能な記録媒体。
【請求項１８】
前記弱いセルを識別するためのプログラム・コードは、位置基準信号（ＰＲＳ）を用いて、前記弱いセルを探索するためのプログラム・コードを備える、請求項１７に記載のコンピュータ読取可能な記録媒体。
【請求項１９】
前記リソース・スケジューリング情報を取得するためのプログラム・コードは、前記複数の近隣セルのうちの少なくとも１つのより強いセルのシステム情報ブロック（ＳＩＢ）から時分割多重（ＴＤＭ）サブフレーム区分情報を復号するためのプログラム・コードを備え、
前記リソース・スケジューリング情報は、前記復号されたＴＤＭサブフレーム区分情報を備える、請求項１５に記載のコンピュータ読取可能な記録媒体。
【請求項２０】
前記リソース・スケジューリング情報を取得するためのプログラム・コードは、前記複数の近隣セルのうちの１つの、イボルブド・ブロードキャスト・チャネルにおいて、複数のビットから、専用のリソース識別情報を読み取るためのプログラム・コードを備え、
前記リソース・スケジューリング情報は、前記専用のリソース識別情報を用いて取得される、請求項１５に記載のコンピュータ読取可能な記録媒体。
【請求項２１】
前記リソース・スケジューリング情報は、第２のＵＥによる使用のために指定された少なくとも１つのリソースを示し、
前記第２のＵＥは、前記弱いセルによってサービス提供される、請求項１５に記載のコンピュータ読取可能な記録媒体。
【請求項２２】
無線通信のために構成されたユーザ機器（ＵＥ）であって、
少なくとも１つのプロセッサと、
前記少なくとも１つのプロセッサに接続されたメモリとを備え、
前記少なくとも１つのプロセッサは、
弱いセルによって送信されたシステム信号から同期パラメータを取得し、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記複数の近隣セルのうちの少なくとも１つの他のセルから、前記弱いセルのリソース・スケジューリング情報を取得し、
前記複数の近隣セルのうちの少なくとも１つの強いセルの１または複数の信号をキャンセルし、ここで、前記少なくとも１つの強いセルは、前記弱いセルからの信号と干渉する、
前記弱いセルからブロードキャストされたシステム・ブロックを、前記リソース・スケジューリング情報を用いて識別し、
前記ブロードキャストされたシステム・ブロックから、制御情報を検索する
ように構成された、ユーザ機器。
【請求項２３】
前記少なくとも１つの強いセルは、前記ＵＥによるアクセスが禁止される、請求項２２に記載のユーザ機器。
【請求項２４】
前記同期パラメータを取得するための前記少なくとも１つのプロセッサの構成は、
前記複数の近隣セルから、前記弱いセルを識別し、
前記弱いセルによって送信されたシステム信号から、前記同期パラメータを復号する、
ための前記少なくとも１つのプロセッサの構成を備える、請求項２２に記載のユーザ機器。
【請求項２５】
前記弱いセルを識別するための前記少なくとも１つのプロセッサの構成は、位置基準信号（ＰＲＳ）を用いて、前記弱いセルを探索するための前記少なくとも１つのプロセッサの構成を備える、請求項２４に記載のユーザ機器。
【請求項２６】
前記リソース・スケジューリング情報を取得するための前記少なくとも１つのプロセッサの構成は、
前記複数の近隣セルのうちの少なくとも１つのより強いセルのシステム情報ブロック（ＳＩＢ）から時分割多重（ＴＤＭ）サブフレーム区分情報を復号するための前記少なくとも１つのプロセッサの構成を備え、
前記リソース・スケジューリング情報は、前記復号されたＴＤＭサブフレーム区分情報を備える、請求項２２に記載のユーザ機器。
【請求項２７】
前記リソース・スケジューリング情報を取得するための前記少なくとも１つのプロセッサの構成は、前記複数の近隣セルのうちの１つの、イボルブド・ブロードキャスト・チャネルにおいて、複数のビットから、専用のリソース識別情報を読み取るための前記少なくとも１つのプロセッサの構成を備え、
前記リソース・スケジューリング情報は、前記専用のリソース識別情報を用いて取得される、請求項２２に記載のユーザ機器。
【請求項２８】
前記リソース・スケジューリング情報は、第２のＵＥによる使用のために指定された少なくとも１つのリソースを示し、
前記第２のＵＥは、前記弱いセルによってサービス提供される、請求項２２に記載のユーザ機器。
【発明の詳細な説明】
【関連出願に対する相互参照】
【０００１】
本願は、全体が本明細書において参照によって明確に組み込まれている２０１０年２月１９日出願の「ＬＴＥ−Ａのためのシステム・アクセス・オプション」（SYSTEM ACCESS OPTIONS FOR LTE-A）と題された米国仮出願６１／３０６，４１１号の利益を主張する。
【技術分野】
【０００２】
本開示のある態様は、一般に、無線通信システムに関する。
【背景技術】
【０００３】
無線通信ネットワークは、例えば音声、ビデオ、パケット・データ、メッセージング、ブロードキャスト等のようなさまざまな通信サービスを提供するために広く配置されている。これら無線ネットワークは、利用可能なネットワーク・リソースを共有することにより、複数のユーザをサポートすることができる多元接続ネットワークでありうる。通常は多元接続ネットワークであるこのようなネットワークは、利用可能なネットワーク・リソースを共有することによって、複数のユーザのための通信をサポートする。このようなネットワークの１つの例は、ユニバーサル地上ラジオ・アクセス・ネットワーク（ＵＴＲＡＮ）である。ＵＴＲＡＮは、第３世代パートナシップ計画（３ＧＰＰ）によってサポートされている第３世代（３Ｇ）モバイル電話技術である、ユニバーサル・モバイル・テレコミュニケーション・システム（ＵＭＴＳ）の一部として定義されているラジオ・アクセス・ネットワーク（ＲＡＮ）である。このような多元接続ネットワーク・フォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局またはノードＢを含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けていると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
本開示のさまざまな態様は、ヘテロジニアスなネットワークにアクセスするＵＥに向けられる。このアクセス処理は、ＵＥが、多くの近隣セルのうちのより弱いセルによって送信されたシステム信号から、同期パラメータを取得することを伴う。ＵＥは、ネットワークと同期した後に、このより弱いセルのためのリソース・スケジューリング情報を取得する。このリソース・スケジューリング情報は、このより弱いセルによって使用される、少なくとも１つのリソースを示す。その後、ＵＥは、近隣セルのうちのより強いセルを、キャンセルしうる。このリソース・スケジューリング情報によって、ＵＥは、より弱いセルのためのブロードキャストされたシステム・ブロックを識別することが可能となる。ＵＥは、このシステム・ブロックから、ネットワークへのアクセスを完了するために使用される制御情報を復号し、検索しうる。
【０００８】
本開示の１つの態様において、ＵＥにおいて制御情報を獲得するための無線通信の方法は、弱りセルによって送信されたシステム信号から同期パラメータを取得することを含む。ここで、弱いセルは、複数の近隣セルのうちの１つであって、ＵＥにおける近隣セルからの最強の信号を有さない。この方法はまた、同期パラメータに少なくとも部分的に基づいて、弱いセルのリソース・スケジューリング情報を取得することと、近隣セルのうちの少なくとも１つの強いセルをキャンセルすることと、ここで、キャンセルされた強いセルは、ＵＥによるアクセスが禁止される、を含む。この方法はさらに、弱いセルからブロードキャストされたシステム・ブロックを、リソース・スケジューリング情報を用いて識別することと、ブロードキャストされたシステム・ブロックから、制御情報を検索することと、を含む。
【０００９】
本開示のさらなる態様では、無線通信のために構成されたＵＥは、弱りセルによって送信されたシステム信号から、同期パラメータを取得する手段、ここで、弱いセルは、複数の近隣セルのうちの１つであって、ＵＥにおける近隣セルからの最強の信号を有さない、を含む。ＵＥはさらに、同期パラメータに少なくとも部分的に基づいて、弱いセルのリソース・スケジューリング情報を取得する手段と、近隣セルのうちの少なくとも１つの強いセルをキャンセルする手段と、ここで、キャンセルされた強いセルは、ＵＥによるアクセスが禁止される、を含む。ＵＥはさらに、弱いセルからブロードキャストされたシステム・ブロックを、リソース・スケジューリング情報を用いて識別する手段と、ブロードキャストされたシステム・ブロックから、制御情報を検索する手段と、を含む。
【００１０】
本開示のさらなる態様では、コンピュータ・プログラム製品が、記録されたプログラム・コードを有するコンピュータ読取可能な媒体を有する。このプログラム・コードは、弱りセルによって送信されたシステム信号から同期パラメータを取得するためのコード、ここで、弱いセルは、複数の近隣セルのうちの１つであって、ＵＥにおける近隣セルからの最強の信号を有さない、を含む。このプログラム・コードはまた、同期パラメータに少なくとも部分的に基づいて、弱いセルのリソース・スケジューリング情報を取得するためのコードと、近隣セルのうちの少なくとも１つの強いセルをキャンセルするためのコードと、ここで、キャンセルされた強いセルは、ＵＥによるアクセスが禁止される、を含む。このプログラム・コードはまた、弱いセルからブロードキャストされたシステム・ブロックを、リソース・スケジューリング情報を用いて識別するためのコードと、ブロードキャストされたシステム・ブロックから、制御情報を検索するためのコードと、を含む。
【００１１】
本開示のさらなる態様では、装置は、少なくとも１つのプロセッサと、このプロセッサに接続されたメモリとを含む。このプロセッサは、弱りセルによって送信されたシステム信号から同期パラメータを取得すること、ここで、弱いセルは、複数の近隣セルのうちの１つであって、ＵＥにおける近隣セルからの最強の信号を有さない、を実行するように構成される。このプロセッサはさらに、同期パラメータに少なくとも部分的に基づいて、弱いセルのリソース・スケジューリング情報を取得することと、近隣セルのうちの少なくとも１つの強いセルをキャンセルすることと、ここで、キャンセルされた強いセルは、ＵＥによるアクセスが禁止される、を実行するように構成される。このプロセッサはさらに、弱いセルからブロードキャストされたシステム・ブロックを、リソース・スケジューリング情報を用いて識別することと、ブロードキャストされたシステム・ブロックから、制御情報を検索することと、を実行するように構成される。
【図面の簡単な説明】
【００１２】
【図１】図１は、モバイル通信システムの例を概念的に例示するブロック図である。
【図２】図２は、モバイル通信システムにおけるダウンリンク・フレーム構造の一例を概念的に例示するブロック図である。
【図３】図３は、アップリンクＬＴＥ／−Ａ通信における典型的なフレーム構造を概念的に例示するブロック図である。
【図４】図４は、本開示の態様にしたがうヘテロジニアスなネットワークにおける時分割多重（ＴＤＭ）区分を概念的に例示するブロック図である。
【図５】図５は、本開示の１つの態様にしたがって構成された基地局／ｅＮＢとＵＥとの設計を概念的に例示するブロック図である。
【図６】図６は、本開示の１つの態様を実施するように実行されるブロックの例を例示する機能ブロック図である。
【図７Ａ】図７Ａは、本開示の代替態様を実施するように実行されるブロックの例を例示する機能ブロック図である。
【図７Ｂ】図７Ｂは、本開示の代替態様を実施するように実行されるブロックの例を例示する機能ブロック図である。
【図７Ｃ】図７Ｃは、本開示の代替態様を実施するように実行されるブロックの例を例示する機能ブロック図である。
【図７Ｄ】図７Ｄは、本開示の代替態様を実施するように実行されるブロックの例を例示する機能ブロック図である。
【発明を実施するための形態】
【００１３】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１４】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００１５】
図１は、ＬＴＥ−Ａネットワークでありうる、通信のための無線ネットワーク１００を示す。無線ネットワーク１００は、多くのイボルブド・ノードＢ（ｅＮＢ）１１０およびその他のネットワーク・エンティティを含む。ｅＮＢは、ＵＥと通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる特定の有効通信範囲エリアを称しうる。
【００１６】
ｅＮＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、自宅）をカバーし、フェムト・セルとの関連を持つＵＥ（例えば、クローズド加入者グループ（ＣＳＧ）におけるＵＥ）、自宅内のユーザのためのＵＥ等による無制限のアクセスを提供しうる。マクロ・セルのためのｅＮＢは、マクロｅＮＢと称されうる。ピコ・セルのためのｅＮＢは、ピコｅＮＢと称されうる。そして、フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば、２つ、３つ、４つ等）のセルをサポートしうる。
【００１７】
無線ネットワーク１００は、同期動作または非同期動作をサポートしうる。同期動作の場合、ｅＮＢは、同じようなフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。ここに記載された技術は、同期動作のために使用されうる。
【００１８】
ネットワーク・コントローラ１３０は、ｅＮＢのセットに接続しており、これらｅＮＢのための調整および制御を提供しうる。ネットワーク・コントローラ１３０は、バックホール１３２を介してｅＮＢ１１０と通信しうる。ｅＮＢ１１０はまた、例えば、ダイレクトに、または、無線バックホール１３４または有線バックホール１３６を介して非ダイレクトに、互いに通信しうる。
【００１９】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、２つの矢印を持つ実線が、ＵＥと、ダウンリンクおよび／またはアップリンクでＵＥにサービス提供するように指定されたｅＮＢであるサービス提供ｅＮＢとの間の所望の送信を示す。２つの矢印を持つ破線は、ＵＥとｅＮＢとの間の干渉送信を示す。
【００２０】
ＬＴＥ／−Ａは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）の対応するシステム帯域幅についてそれぞれ１２８，２５６，５１２，１０２４，２０４８にそれぞれ等しい。システム帯域幅はまた、サブ帯域へ区分されうる。例えば、サブ帯域は、１．０８ＭＨｚをカバーし、１．２５，２．５，５，１０，２０ＭＨｚの対応するシステム帯域幅についてそれぞれ１，２，４，８，１６のサブ帯域が存在しうる。
【００２１】
図２は、ＬＴＥ／−Ａにおいて使用されるダウンリンク・フレーム構造を示す。ダウンリンクのこの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。おのおののラジオ・フレームは、０乃至１９のインデクスを付された２０のスロットを含みうる。おのおののスロットは、例えば、（図２に示すように）通常のサイクリック・プレフィクスの場合、７つのシンボル期間を、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。リソース・ブロックはそれぞれ１つのスロットにおいてＮ個のサブキャリア（例えば、１２のサブキャリア）をカバーしうる。
【００２２】
ＬＴＥ／−Ａにおいて、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、ＵＥによって、セル検出および獲得のために使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２３】
図２で見られるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅＮＢは、おのおののサブフレームの最初のＭ個のシンボル期間において、物理ＨＡＲＱインジケータ・チャネル（ＰＨＩＣＨ）と物理ダウンリンク制御チャネル（ＰＤＣＣＨ）とを送信しうる。ＰＤＣＣＨとＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２４】
ＬＴＥ−Ａは、各サブフレームの制御セクション、すなわち、各サブフレームの最初のシンボル期間においてＰＨＩＣＨおよびＰＤＣＣＨを送信することに加えて、各サブフレームのデータ・セクションでこれら制御指向のチャネルをも送信しうる。図２に示すように、例えば中継−物理ダウンリンク制御チャネル（Ｒ−ＰＤＣＣＨ）および中継−物理ＨＡＲＱインジケータ・チャネル（Ｒ−ＰＨＩＣＨ）のように、データ領域を利用するこれら新たな制御設計は、各サブフレームの後半のシンボル期間に含まれる。Ｒ−ＰＤＣＣＨは、半デュプレクス中継動作のコンテキストで元々開発されたデータ領域を利用する、新たなタイプの制御チャネルである。Ｒ−ＰＤＣＣＨおよびＲ−ＰＨＩＣＨは、１つのサブフレーム内にいくつかの第１の制御シンボルを占有するレガシーＰＤＣＣＨおよびＰＨＩＣＨとは異なり、元々データ領域として指定されているリソース要素（ＲＥ）へマップされる。新たな制御チャネルは、周波数分割多重（ＦＤＭ）、時分割多重（ＴＤＭ）、あるいはＦＤＭとＴＤＭとの組み合わせの形態をとりうる。
【００２５】
ｅＮＢは、ｅＮＢによって使用されるシステム帯域幅の中心１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、特定のＵＥへユニキャスト方式でＰＤＣＣＨを送信し、特定のＵＥへユニキャスト方式でＰＤＳＣＨをも送信しうる。
【００２６】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。各シンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧのある組み合わせのみが、ＰＤＣＣＨのために許可されうる。
【００２７】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせ数よりも少ない。ｅＮＢは、ＵＥが探索する組み合わせのうちの何れかのＵＥにＰＤＣＣＨを送信しうる。
【００２８】
ＵＥは、複数のｅＮＢの有効通信範囲内に存在しうる。これらのｅＮＢのうちの１つは、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００２９】
図３は、アップリンク・ロング・ターム・イボリューション（ＬＴＥ／−Ａ）通信における典型的なフレーム構造３００を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクションにおける連続するサブキャリアのすべてが割り当てられるようになる。
【００３０】
ＵＥは、ｅＮＢへ制御情報を送信するために、制御セクションにおいてリソース・ブロックを割り当てられうる。ＵＥはまた、ｅノードＢへデータを送信するために、データ・セクションにおいてリソース・ブロックを割り当てられうる。ＵＥは、制御セクションにおいて割り当てられたリソース・ブロック３１０ａ，３１０ｂで、物理アップリンク制御チャネル（ＰＵＣＣＨ）によって制御情報を送信しうる。ＵＥは、データ・セクションにおいて割り当てられたリソース・ブロック３２０ａ，３２０ｂで、物理アップリンク共有チャネル（ＰＵＳＣＨ）によって、データのみ、または、データと制御情報との両方を送信しうる。アップリンク送信は、サブフレームからなる両スロットにおよび、図３に示すように、周波数を越えてホップしうる。
【００３１】
図１に示すように、無線ネットワーク１００は、単位エリア毎のシステムのスペクトル効率を改善するために、ｅＮＢ１００の多様なセット（すなわち、マクロｅＮＢ、ピコｅＮＢ、フェムトｅＮＢ、およびリレー）を使用する。無線ネットワーク１００は、スペクトル有効通信範囲のため、このように異なるｅＮＢを使用するので、ヘテロジニアスなネットワークとも称されうる。マクロｅＮＢ１１０ａ−ｃは、通常、プロバイダによって、注意深く計画され、無線ネットワーク１００に配置される。マクロｅＮＢ１１０ａ−ｃは、一般に、高い電力レベル（例えば、５Ｗ−４０Ｗ）で送信する。一般に、実質的に低い電力レベル（例えば、１００ｍＷ−２Ｗ）で送信するピコｅＮＢ１１０ｘおよび中継局１１０ｒは、マクロｅＮＢ１１０ａ−ｃによって提供される有効通信範囲エリアにおける有効通信範囲ホールをなくすために、および、ホット・スポットにおける容量を改善するために、比較的無計画な方式で配置されうる。一般に、無線ネットワーク１００から独立して配置されるフェムトｅＮＢ１１０ｙ−ｚはやはり、アドミニストレータ（単数または複数）によって許可されている場合には、無線ネットワーク１００への潜在的なアクセス・ポイントとして、あるいは、リソース調整および干渉管理の調整を実行するために、無線ネットワーク１００の他のｅＮＢ１１０と通信しうる、少なくともアクティブでアウェアなｅＮＢとして、無線ネットワーク１００の有効通信範囲エリアへ組み込まれうる。また、フェムトｅＮＢ１１０ｙ−ｚは、一般に、マクロｅＮＢ１１０ａ−ｃよりも実質的に低い電力レベル（例えば、１００ｍＷ−２Ｗ）でも送信する。
【００３２】
例えば無線ネットワーク１００のようなヘテロジニアスなネットワークの動作では、おのおののＵＥは、通常、良好な信号品質のｅＮＢ１１０によってサービス提供される一方、他のｅＮＢ１１０から受信された、求められない信号は、干渉として取り扱われる。このような動作原理は、最適とはいえないパフォーマンスをもたらす一方、ｅＮＢ１１０間における高度なリソース調整、より良好なサーバ選択戦略、および、効率的な干渉管理のためのより進化した技術を用いることによって、無線ネットワーク１００におけるネットワーク・パフォーマンスの向上が達成される。
【００３３】
例えばピコｅＮＢ１１０ｘのようなピコｅＮＢは、例えばマクロｅＮＢ１１０ａ−ｃのようなマクロｅＮＢと比較された場合、実質的に低い送信電力によって特徴付けられる。また、ピコｅＮＢは、通常、アド・ホック方式では、例えば無線ネットワーク１００のようなネットワークの周囲に配置されるだろう。この無計画な配置によって、例えば無線ネットワーク１００のような、ピコｅＮＢ配置を伴う無線ネットワークは、低い信号対干渉条件を持つ広いエリアを有することが期待されうる。これは、有効通信範囲エリアまたはセルの端部のＵＥ（「セル・エッジ」ＵＥ）への制御チャネル送信のためのよりチャレンジングなＲＦ環境を生み出しうる。さらに、マクロｅＮＢ１１０ａ−ｃと、ピコｅＮＢ１１０ｘとの送信電力レベル間に潜在的に大きな相違（例えば、約２０ｄＢ）があることは、混合した配置では、ピコｅＮＢ１１０ｘのダウンリンク有効通信範囲エリアが、マクロｅＮＢ１１０ａ−ｃのダウンリンク有効通信範囲エリアよりも格段に小さいであろうことを示唆している。
【００３４】
しかしながら、アップリンクの場合では、アップリンク信号の信号強度はＵＥによって管理されるので、何れかのタイプのｅＮＢ１１０によって受信された場合、類似するようにあるであろう。大まかに同じまたは類似しているｅＮＢ１１０のアップリンク有効通信範囲エリアでは、アップリンク・ハンドオフ境界が、チャネル・ゲインに基づいて決定されるだろう。これは、ダウンリンク・ハンドオーバ境界とアップリンク・ハンドオーバ境界との間のミスマッチをもたらしうる。さらなるネットワーク適合が無ければ、このミスマッチは、無線ネットワーク１００における、サーバ選択、または、ｅＮＢに対するＵＥの関連付けを、ダウンリンクおよびアップリンクのハンドオーバ境界がより近く一致しているマクロｅＮＢのみのホモジニアスなネットワークにおけるよりも、より困難にするであろう。
【００３５】
サーバ選択が、ダウンリンク受信信号強度に支配的に基づくのであれば、例えば無線ネットワーク１００のようなヘテロジニアスなネットワークの混合ｅＮＢ配置の有用性が大きく損なわれるだろう。これは、例えばマクロｅＮＢ１１０ａ−ｃのような高電力マクロｅＮＢの有効通信範囲エリアが広くなると、例えばピコｅＮＢ１１０ｘのようなピコｅＮＢを有するセル有効通信範囲を分離するという利点を制限するからである。なぜなら、マクロｅＮＢ１１０ａ−ｃのダウンリンク受信信号強度が強くなると、利用可能なＵＥのすべてを引き寄せる一方、ピコｅＮＢ１１０ｘは、ダウンリンク送信電力が格段に弱いので、何れのＵＥにもサービス提供できないことがありうるからである。さらに、マクロｅＮＢ１１０ａ−ｃは、これらのＵＥに対して効率的にサービス提供するために、十分なリソースを持たない可能性が高くなるであろう。したがって、無線ネットワーク１００は、ピコｅＮＢ１１０ｘの有効通信範囲エリアを拡大することによって、マクロｅＮＢ１１０ａ−ｃとピコｅＮＢ１１０ｘとの間の負荷をアクティブに平準化するように試みるであろう。この概念は範囲拡張と称される。
【００３６】
無線ネットワーク１００は、サーバ選択が決定される方式を変更することによって、この範囲拡張を達成する。サーバ選択は、ダウンリンク受信信号強度に基づくのではなく、よりダウンリンク信号の品質に基づく。１つのこのような品質ベースの決定では、サーバ選択は、ＵＥに対して最小の経路喪失しかもたらさないｅＮＢを決定することに基づきうる。さらに、無線ネットワーク１００は、マクロｅＮＢ１１０ａ−ｃと、ピコｅＮＢ１１０ｘとの間で、リソースを区分しうる。しかしながら、このようなアクティブな負荷平準化をもってしても、マクロｅＮＢ１１０ａ−ｃからのダウンリンク干渉は、例えばピコｅＮＢ１１０ｘのようなピコｅＮＢによってサービス提供されるＵＥのために緩和されねばならない。これは、ＵＥにおける干渉除去、ｅＮＢ１１０間のリソース調整等を含むさまざまな方法によって達成されうる。
【００３７】
例えば無線ネットワーク１００のように、範囲拡張されたヘテロジニアスなネットワークでは、例えばマクロｅＮＢ１１０ａ−ｃのような高電力のｅＮＢから送信された、より強いダウンリンク信号の存在下において、例えばピコｅＮＢ１１０ｘのような低電力のｅＮＢから、ＵＥがサービスを得るために、ピコｅＮＢ１１０ｘは、支配的な干渉元であるマクロｅＮＢ１１０ａ−ｃとの制御チャネルおよびデータ・チャネルの干渉の調整を行う。干渉を管理するために、干渉調整のための別の技術が適用されうる。例えば、同一チャネル配置におけるセルからの干渉を低減するために、セル間干渉調整（ＩＣＩＣ）が使用されうる。１つのＩＣＩＣメカニズムは、適応性のあるリソース区分である。適応性のあるリソース区分は、あるｅＮＢにサブフレームを割り当てる。第１のｅＮＢに割り当てられたサブフレームでは、近隣のｅＮＢは送信しない。したがって、第１のｅＮＢによってサービス提供されるＵＥによってもたらされる干渉が低減される。サブフレーム割当は、アップリンク・チャネルとダウンリンク・チャネルとの両方で実行されうる。
【００３８】
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）を割り当てられうる。保護サブフレームは、第１のｅＮＢによる限定的な使用のために第１のｅＮＢに割り当てられる。保護サブフレームはまた、近隣のｅＮＢからの干渉が無いことに基づいて、「クリーンな」サブフレームとも称される。禁止サブフレームは、近隣のｅＮＢに割り当てられたサブフレームであり、第１のｅＮＢは、禁止サブフレームの間、データを送信することを禁じられる。例えば、第１のｅＮＢの禁止サブフレームは、第２の干渉元のｅＮＢの保護サブフレームに対応しうる。したがって、第１のｅＮＢは、第１のｅＮＢの保護サブフレームの間にデータを送信している唯一のｅＮＢである。共通サブフレームは、複数のｅＮＢによるデータ送信のため使用されうる。共通サブフレームはまた、別のｅＮＢからの干渉の可能性があることから、「クリーンではない」サブフレームとも称されうる。
【００３９】
期間毎に、少なくとも１つの保護サブフレームが静的に割り当てられる。ある場合には、１つの保護サブフレームのみが静的に割り当てられる。例えば、期間が８ミリ秒である場合、１つの保護サブフレームが、毎８ミリ秒の間に、ｅＮＢに静的に割り当てられうる。他のサブフレームは動的に割り当てられうる。
【００４０】
適応リソース区分情報（ＡＲＰＩ）によって、非静的に割り当てられたサブフレームが、動的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満のように、迅速に変化しうる。
【００４１】
ヘテロジニアスなネットワークは、異なる電力クラスのｅＮＢを有しうる。例えば、マクロｅＮＢ、ピコｅＮＢ、およびフェムトｅＮＢのように、電力クラスが減少する３つの電力クラスが定義されうる。マクロｅＮＢ、ピコｅＮＢ、およびフェムトｅＮＢが同一チャネルに配置されている場合、マクロｅＮＢ（攻撃ｅＮＢ）の電力スペクトル密度（ＰＳＤ）は、ピコｅＮＢおよびフェムトｅＮＢ（犠牲ｅＮＢｓ）のＰＳＤよりも大きく、ピコｅＮＢとフェムトｅＮＢとに多大な干渉をもたらしうる。保護サブフレームは、ピコｅＮＢおよびフェムトｅＮＢとの干渉を低減または最小化するために使用されうる。すなわち、保護サブフレームは、犠牲ｅＮＢが、攻撃ｅＮＢにおける禁止サブフレームに対応するようにスケジュールされうる。
【００４２】
図４は、本開示の態様にしたがうヘテロジニアスなネットワークにおける時分割多重（ＴＤＭ）区分を例示するブロック図である。ブロックの第１行は、フェムトｅＮＢのためのサブフレーム割当を例示しており、ブロックの第２行は、マクロｅＮＢのためのサブフレーム割当を例示している。ｅＮＢのおのおのは、静的な保護サブフレームを有する。この間、別のｅＮＢは、静的な禁止サブフレームを有する。例えば、フェムトｅＮＢは、サブフレーム０の禁止サブフレーム（Ｎサブフレーム）に対応する、サブフレーム０の保護サブフレーム（Ｕサブフレーム）を有する。同様に、マクロｅＮＢは、サブフレーム７の禁止サブフレーム（Ｎサブフレーム）に対応する、サブフレーム７の保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通のサブフレーム（ＡＣ）では、フェムトｅＮＢとマクロｅＮＢとの両方が、データを送信しうる。
【００４３】
攻撃ｅＮＢは、送信することを禁止されているので、（例えばＵ／ＡＵサブフレームのような）保護サブフレームは、干渉が低減され、高いチャネル品質を有している。（例えば、Ｎ／ＡＮサブフレームのような）禁止サブフレームは、データ送信を有さないので、犠牲ｅＮＢは、低い干渉レベルでデータを送信できるようになる。（例えば、Ｃ／ＡＣサブフレームのような）共通サブフレームは、データを送信している近隣ｅＮＢの数に依存するチャネル品質を有する。例えば、近隣ｅＮＢが、共通サブフレームでデータを送信している場合、共通サブフレームのチャネル品質は、保護サブフレームよりも低いことがありうる。共通サブフレームのチャネル品質はまた、攻撃ｅＮＢによって強く影響を受けた拡張境界エリア（ＥＢＡ）について低くなりうる。ＥＢＡ  ＵＥは、第１のｅＮＢに属するのみならず、第２のｅＮＢの有効通信範囲エリア内に配置されうる。例えば、フェムトｅＮＢ有効通信範囲の範囲限界近傍のマクロｅＮＢと通信するＵＥは、ＥＢＡ  ＵＥである。
【００４４】
例えば無線ネットワーク１００のようなヘテロジニアスなネットワーク配置では、ＵＥは、１または複数の干渉元のｅＮＢから高い干渉を観察しうる支配的な干渉シナリオで動作しうる。支配的な干渉シナリオは、制限された関連付けによって生じうる。例えば、図１では、ＵＥ１２０ｙが、フェムトｅＮＢ１１０ｙの近くにあり、ｅＮＢ１１０ｙに関し高い受信電力を有しうる。しかしながら、制約された関連性によって、ＵＥ１２０ｙは、フェムトｅＮＢ１１０ｙにアクセスすることができず、（図１に示すような）マクロｅＮＢ１１０ｃ、または、同様に低い受信電力を持つ（図１に示されていない）フェムトｅＮＢ１１０ｚに接続しうる。ＵＥ１２０ｙは、その後、ダウンリンクで、フェムトｅＮＢ１１０ｙからの高い干渉を観察し、アップリンクで、ｅＮＢ１１０ｙへ高い干渉を引き起こしうる。ｅＮＢ１１０ｃおよびフェムトｅＮＢ１１０ｙは、調整された干渉管理を用いて、リソースをネゴシエートするために、バックホール１３４を介して通信しうる。このネゴシエーションでは、フェムトｅＮＢ１１０ｙは、チャネル・リソースのうちの１つでの送信を停止することに合意する。これによって、ＵＥ１２０ｙは、同じチャネルを介してｅＮＢ１１０ｃと通信する場合ほど、フェムト１１０ｙからの干渉を受けなくなるであろう。
【００４５】
図５は、図１における基地局／ｅＮＢのうちの１つ、およびＵＥのうちの１つでありうる、基地局／ｅＮＢ１１０とＵＥ１２０との設計のブロック図を示す。制約された関連性のシナリオの場合、ｅＮＢ１１０は、図１におけるマクロｅＮＢ１１０ｃでありうる。そして、ＵＥ１２０は、ＵＥ１２０ｙでありうる。ｅＮＢ１１０はさらに、その他いくつかのタイプの基地局でもありうる。ｅＮＢ１１０は、アンテナ５３４ａ乃至５３４ｔを備え、ＵＥ１２０は、アンテナ５５２ａ乃至５５２ｒを備えうる。
【００４６】
ｅＮＢ１１０では、送信プロセッサ５２０が、データ・ソース５１２からデータを、コントローラ／プロセッサ５４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。送信プロセッサ５２０は、データ・シンボルおよび制御シンボルをそれぞれ取得するために、データ情報および制御情報を処理（例えば、符号化およびシンボル・マップ）しうる。送信プロセッサ５２０はさらに、例えばＰＳＳやＳＳＳのための基準シンボルや、セル特有の基準信号を生成しうる。送信（ＴＸ）複数入力複数出力（ＭＩＭＯ）プロセッサ５３０は、適用可能であれば、基準シンボル、制御シンボル、および／または、データ・シンボルに空間処理（例えば、プリコーディング）を実行し、出力シンボル・ストリームを変調器（ＭＯＤ）５３２ａ乃至５３２ｔに提供しうる。おのおのの変調器５３２は、（例えば、ＯＦＤＭ等のために）それぞれの出力シンボル・ストリームを処理して、出力サンプル・ストリームを得る。おのおのの変調器５３２はさらに、出力サンプル・ストリームを処理（例えば、アナログ変換、増幅、フィルタ、およびアップコンバート）し、ダウンリンク信号を取得する。変調器５３２ａ乃至５３２ｔからのダウンリンク信号は、アンテナ５３４ａ乃至５３４ｔによってそれぞれ送信されうる。
【００４７】
ＵＥ１２０では、アンテナ５５２ａ乃至５５２ｒが、ｅＮＢ１１０からダウンリンク信号を受信し、受信した信号を、復調器（ＤＥＭＯＤ）５５４ａ乃至５５４ｒへそれぞれ提供しうる。おのおのの復調器５５４は、受信したそれぞれの信号を調整（例えば、フィルタ、増幅、ダウンコンバート、およびデジタル化）して、入力サンプルを取得しうる。おのおのの復調器５５４はさらに、（例えば、ＯＦＤＭ等のために）これら入力サンプルを処理して、受信されたシンボルを取得しうる。ＭＩＭＯ検出器５５６は、すべての復調器５５４ａ乃至５５４ｒから受信したシンボルを取得し、適用可能である場合、これら受信されたシンボルに対してＭＩＭＯ検出を実行し、検出されたシンボルを提供しうる。受信プロセッサ５５８は、検出されたシンボルを処理（例えば、復調、デインタリーブ、および復号）し、ＵＥ１２０のために復号されたデータをデータ・シンク５６０に提供し、復号された制御情報をコントローラ／プロセッサ５８０へ提供しうる。
【００４８】
アップリンクでは、ＵＥ１２０において、送信プロセッサ５６４が、データ・ソース５６２から（例えばＰＵＳＣＨのための）データを、コントローラ／プロセッサ５８０から（例えばＰＵＣＣＨのための）制御情報を受信し、これらを処理しうる。プロセッサ５６４はさらに、基準信号のための基準シンボルをも生成しうる。送信プロセッサ５６４からのシンボルは、適用可能であれば、ＴＸ  ＭＩＭＯプロセッサ５６６によってプリコードされ、さらに、（例えば、ＳＣ−ＦＤＭ等のために）復調器５５４ａ乃至５５４ｒによって処理され、ｅＮＢ１１０へ送信されうる。ｅＮＢ１１０では、ＵＥ１２０からのアップリンク信号が、アンテナ５３４によって受信され、変調器５３２によって処理され、適用可能な場合にはＭＩＭＯ検出器５３６によって検出され、さらに、受信プロセッサ５３８によって処理されて、ＵＥ１２０によって送信された復号されたデータおよび制御情報が取得されうる。受信プロセッサ５３８は、復号されたデータをデータ・シンク５３９に提供し、復号された制御情報をコントローラ／プロセッサ５４０へ提供しうる。
【００４９】
コントローラ／プロセッサ５４０，５８０は、ｅＮＢ１１０およびＵＥ１２０それぞれにおける動作を指示しうる。ｅＮＢ１１０におけるコントローラ／プロセッサ５４０および／またはその他のプロセッサおよびモジュールは、本明細書に記載された技術のためのさまざまな処理の実行または指示を行いうる。ＵＥ１２０におけるコントローラ／プロセッサ５８０および／またはその他のプロセッサおよびモジュールは、図４および図５に例示された機能ブロック、および／または、本明細書に記載された技術のためのその他の処理の実行または指示を行いうる。メモリ５４２，５８２は、ｅＮＢ１１０およびＵＥ１２０それぞれのためのデータおよびプログラム・コードを格納しうる。スケジューラ５４４は、ダウンリンクおよび／またはアップリンクでのデータ送信のためにＵＥをスケジュールしうる。
【００５０】
前述したように、リソース・ブロックを備える一定のリソース要素のみならず、一定のリソース・ブロックが、例えば同期信号、基準信号、制御信号、およびブロードキャスト・システム情報のような特別の信号に特化されうる。例えば、ＬＴＥ／−Ａにおける３つの同期ステップは、シンボル・タイミング獲得、キャリア周波数同期、およびサンプリング・クロック同期である。一例では、ＬＴＥ／−Ａは、例えばセル識別情報、サイクリック・プレフィクス長さ、デュプレクス方法等のようなあるシステム・パラメータのブロードキャストのため、および、時間および周波数同期のために、ＰＳＳおよびＳＳＳを使用する。ＰＳＳは、通常、まずＵＥによって検出され、その後ＳＳＳ検出が続く。
【００５１】
一般に、ＰＳＳは、ＵＥによって非コヒーレントに検出される（すなわち、フェーズ情報無しで検出される）。なぜなら、ＵＥに利用可能な演繹的なチャネル情報は無いと仮定されているからである。ＳＳＳはＰＳＳの検出後に検出されるので、ＰＳＳの検出後、チャネル状態情報（ＣＳＩ）がＵＥに利用可能であれば、ＳＳＳのコヒーレントな検出（すなわち、フェーズ情報を用いた検出）が利用可能でありうる。そうではない場合、例えば、近隣のｅノードＢからのコヒーレントな干渉の場合には、ＳＳＳの非コヒーレントな検出が使用されるだろう。
【００５２】
ＵＥは、特定のＬＴＥ／−Ａセルに入り、セルへのアクセスを試みる場合、接続モードを求めてアクセスしているか、または、アイドル・モードでセルにキャンプするためにアクセスしているかに関わらず、ＲＡＣＨ手順を開始する前に、システム情報ブロック（ＳＩＢ）に含まているシステム・アクセス情報を使用するであろう。ＵＭＴＳ  Ｒｅｌ−８では、ＵＥは、例えば、セル内のフレームタイミングおよび物理レイヤ・セル識別子を決定するために、同期のためにＰＳＳ／ＳＳＳ信号を検出することによってＲＡＣＨ手順を開始する。その後、ＵＥはさらに、システム帯域幅情報のためのＰＢＣＨと、物理ＨＡＲＱインジケータ・チャネル（ＰＨＩＣＨ）持続時間情報と、システム・フレーム番号（ＳＦＮ）情報とをを読み取るであろう。同期情報、その他のシステム・アクセス情報、およびＵＥによってＰＳＳ、ＳＳＳおよびＰＢＣＨから取得されたパラメータは、ここでは集合的に同期パラメータと称される。次に、ＵＥは、ネットワークとの同期後、ＳＩＢ１のための制御情報を復号することを試みるであろう。これは、ＰＤＳＣＨで伝送される。この制御情報は、ＰＣＦＩＣＨとＰＤＣＣＨとの両方を含んでいる。
【００５３】
しかしながら、ヘテロジニアスなＬＴＥ−Ａネットワークでは、ＵＥは、良好なシステム・パフォーマンスを得るために、信号対雑音比（ＳＮＲ）がより低い、より弱いセルからＳＩＢを読み取ることから利益を得うる。例えば、ＵＥは、クローズド加入者グループ（ＣＳＧ）セル、または、接続モード中にＵＥがアクセスすることを禁止されたセルのような強いセルへのアクセスが許可されないか、または、ＵＥは、システム負荷平準化のために、より弱いセルにハンドオーバするように指示されうる。これらの例において、ＵＥは、より弱りセルのＰＳＳ、ＳＳＳ、およびＰＢＣＨにおける必要な同期パラメータを検出するために、干渉除去を使用しうる。これは、ＳＩＢ１またはその他のＳＩＢの復号のために、これはチャレンジングなことである。なぜなら、ＵＥは、ＳＩＢ１またはＳＩＢを復号するために、まずＰＣＦＩＣＨとＰＤＣＣＨを読み取るだろうからである。
【００５４】
図６は、本開示の１つの態様を実施するように実行されるブロックの例を例示する機能ブロック図である。ブロック６００では、弱いセルによって送信されたシステム信号から、同期パラメータが取得される。ここで、弱いセルは、複数の近隣セルのうちの１つであり、ＵＥにおける近隣セルからの最強の信号を有さない。システム信号へのアクセスを取得すると、ＵＥは、ＰＳＳ／ＳＳＳ／ＰＢＣＨの干渉除去を実行すること、位置基準信号（ＰＲＳ）をインタリーブすることによって位置的なセル探索を用いること、またはこれら両方のある組み合わせの何れかを行いうる。
【００５５】
ブロック６０１では、ＵＥは、同期パラメータに少なくとも部分的に基づいて、弱いセルのリソース・スケジューリング情報を取得する。ＵＥは、リソース・スケジューリング情報を伝送する適切なシステム信号へのアクセスを得るために、これら同期パラメータを用いて、ＵＥ自身をセルと同期させるだろう。ＵＥは、実際、より強い近隣セルのうちの１つのＳＩＢから復号されたＴＤＭサブフレーム区分情報の形態で、このリソース・スケジューリング情報を取得しうる。あるいは、イボルブドＰＢＣＨ（ｅＰＢＣＨ）をサポートするネットワーク実装では、ＵＥが強い干渉を経験することなくアクセスを取得しうる専用リソースを識別するために、ＰＢＣＨのペイロードにおいて追加ビットが使用されうる。この専用リソースのリソース識別情報は、適切なリソース・スケジューリング情報をＵＥへ提供する。
【００５６】
ブロック６０２では、ＵＥは、近隣セルのうちの少なくとも１つの強いセルをキャンセルする。キャンセルされた強いセルは、ＵＥによるアクセスが禁止される。ブロック６０３では、ＵＥは、より弱いセルからブロードキャストされた、例えばＳＩＢ１、別のＳＩＢ等のようなシステム・ブロックを、リソース・スケジューリング情報を用いて識別する。識別されると、その後、ブロック６０４において、ＵＥは、より弱いセルへの初期ランダム・アクセスを完了するために使用する制御情報を検索するために、ブロードキャストされたシステム・ブロックを復号しうる。
【００５７】
この初期ネットワーク・アクセス手順のさまざまな実施の詳細では、複数の異なる処理ブロックが使用され、各実施のためのビルディング・ブロックとして、ともにグループ化されうる。例えば、本開示によって構成された実施の多くでは、ＰＳＳ干渉除去が実行される。ここで、ＵＥは、追加のより弱いセルにおいてＰＳＳ信号を位置決めするために、より強いセルからのＰＳＳ信号（単数または複数）を除去する。このＰＳＳ干渉除去はまた、他のチャネルまたは信号への干渉を低減し、例えば、遅延拡散によって引き起こされたＳＳＳシンボルへの干渉を低減する。
【００５８】
別の利用可能な手順は、ＳＳＳ干渉除去である。ＵＥは、ＰＳＳ除去を用いて、より弱いセルのＳＳＳ信号を位置決めするために、より強いセルのおのおのからのＳＳＳ信号を除去する。ＳＳＳ干渉除去はまた、他のチャネルまたは信号への干渉を低減し、例えば、遅延拡散によって引き起こされたＰＳＳシンボルへの干渉をも低減する。
【００５９】
さらなる同期パラメータを取得するために、ＵＥはまた、ＰＢＣＨ干渉除去をも実行しうる。例えば、ＵＥは、より弱いセルのＰＢＣＨを発見し復号するために、より強いセルからのＰＢＣＨ信号およびＣＲＳ信号を除去しうる。この干渉除去処理はまた、一般に、他のチャネルまたは信号への干渉を低減し、例えば、より弱いセルのＣＲＳへの干渉を低減する。
【００６０】
ともに実行されたＰＳＳ、ＳＳＳ、およびＰＢＣＨ干渉除去の個々の処理によって、ＵＥは、さまざまな同期パラメータを取得することができる。ＰＳＳ／ＳＳＳ／ＰＢＣＨ干渉除去の代替として、または、それに追加して実行される代替処理は、位置決めセル探索である。ＰＲＳ信号は、さまざまなセルを位置決めするために使用されうる信号である。ＵＥは、別のセルからのＰＲＳ信号送信の良好な条件がある場合、より弱いさらなるセルを位置決めするためにＰＲＳを使用しうる。
【００６１】
初期アクセス手順において使用されうる別の処理ブロックは、ＰＣＦＩＣＨおよびＰＤＣＣＨのサブフレーム間シグナリングである。この処理ブロックを実施するために、セルは、ＰＤＳＣＨが送信されるサブフレームとは別のサブフレームでＰＤＳＣＨのための制御情報をブロードキャストする。ＵＥは、ＰＤＳＣＨを復号するために、一般に、バッファされた制御情報を使用するだろう。
【００６２】
初期アクセス手順はまた、ＰＤＣＣＨの無い動作をも使用しうる。ＵＥがＰＤＣＣＨを検出、アクセス、および復号する代わりに、セルが、ＰＤＳＣＨ制御情報を事前定義し、これによって、ＵＥは、ＰＤＣＣＨから最初に制御情報を復号することなく、ＰＤＳＣＨをダイレクトに復号しうる。
【００６３】
初期アクセス手順はまた、制御情報およびデータのための調整されたリソースおよび専用のリソースをも使用しうる。この処理ブロックでは、セルは、例えばＳＩＢ１／ＳＩＢのためのＰＤＦＩＣＨ／ＰＤＣＣＨのような制御情報および／またはデータを送信するために、専用のリソースを確保する。この専用のリソースは、通常のサブフレームのデータ領域、ＭＢＳＦＮタイプのサブフレーム等から確保されうる。近隣セルは、バックホールを介してこれら専用のリソースを調整し、これによって、ＵＥは、これらのリソースにアクセスする場合、強い干渉を受けないだろう。このような専用のリソースの例は、Ｒ−ＰＤＣＣＨおよびＲ−ＰＤＳＣＨを含む。実際、セルは、標準的な位置においてＳＩＢ１／ＳＩＢを送信しながら、専用のリソース位置において、ＳＩＢ１／ＳＩＢのための制御情報を送信しうる。あるいは、セルは、専用のリソースにおいて、制御情報に加えて、ＳＩＢ１／ＳＩＢ情報を転送しうる。このような代替実施形態では、専用のリソースで送信されたＳＩＢ１／ＳＩＢが、後方互換目的のために、標準的な位置で送信されたＳＩＢ１／ＳＩＢに加えられる。
【００６４】
初期アクセス手順で使用されうる別の処理ブロックは、ｅＰＢＣＨを使用する。ここでは、ｅＰＢＣＨペイロードの予約ビットが、前述の通り定義された専用のリソースを識別する。したがって、ＵＥは、ＰＢＣＨペイロードの予約ビットを読み取ることによって、この専用のリソースの位置を得るであろう。
【００６５】
複数のセルが、同じ地理的位置に対してサービス提供するヘテロジニアスなネットワークでは、複数のセルのためのサブフレーム・マッピングを確立するために、ＴＤＭ区分が使用されうる。この区分によって、より弱いセルが、周囲のより強いセルからの干渉無しで、一定のサブフレームを使用できるようになる。ＵＥは、初期アクセス手順のための処理ブロックにおいて、複数のＵＥのうちの少なくとも１つにサービス提供するために、より弱いセルによって使用される少なくとも１つのサブフレームの識別情報を取得するために、このＴＤＭ区分情報を取得するであろう。このようなサブフレームにアクセスすることによって、ＵＥに対して、多くの干渉無しで、より弱いセルへのアクセス・ポイントを提供する。
【００６６】
ＵＥは、初期アクセス手順で使用されうるさらに別の処理ブロックにおいて、ＰＤＳＣＨの干渉除去を実行しうる。ＵＥは、ＰＳＳ／ＳＳＳ／ＰＢＣＨの干渉除去のように、より弱いセルのＰＤＳＣＨへのアクセスを取得するために、より強い、干渉元のセルからのＰＤＳＣＨを除去する。
【００６７】
記載されているように、これらさまざまな処理ブロックのおのおのは、本開示のさまざまな実施のためのビルディング・ブロックとして、別の方式で使用または組み合されうる。このような実施のおのおのの態様は、複数の近隣セルのうちのより弱いセルへのＵＥアクセスを容易にする。図７Ａは、本開示の１つの態様を実施するように実行されるブロックの例を例示する機能ブロック図である。ブロック７００では、ＵＥは、ヘテロジニアスなネットワークにアクセスすることを試みる。これによって、初期アクセス手順が開始される。ブロック７０１では、ＵＥは、ＰＳＳ／ＳＳＳ／ＰＢＣＨ除去を実行することによって、より弱い近隣セルを求める探索を行う。ＵＥは、より強いセルのＰＳＳ／ＳＳＳ／ＰＢＣＨを除去する。新たなセルがそれぞれ発見されると、ＵＥは、ブロック７０４において、ＰＳＳ／ＳＳＳを獲得することによって、ブロック７０５において、ＰＢＣＨを獲得することによって、同期パラメータを取得する。ＵＥはその後、ブロック７０６において、ＰＣＦＩＣＨ／ＰＤＣＣＨからＳＩＢ１および関連付けられた制御情報を取得する。ここで、制御情報は、例えばサブフレーム間シグナリング、ＰＤＣＣＨの無い動作等のような任意の数の処理を用いて取得されうる。ブロック７０７では、この制御情報を用いて、現在のセルが、ＵＥによるアクセスを禁止すなわち阻止されているのかの判定がなされる。
【００６８】
現在のセルが、ＵＥによるアクセスを禁止されているのであれば、ブロック７０３において、ＴＤＭ区分情報が検索される。これは、ＵＥに、複数の近隣セルのための区分情報をも与える。そして、ブロック７０２において、ＵＥは、ブロック７０１において編集された近隣セル・リストから、次のセル候補を選択する。同期パラメータの同期情報部分が、ブロック７０４におけるＰＳＳ／ＳＳＳの初期獲得において取得されているので、同期情報は同じ値を維持し、このブロックは、再実行されないだろう。代わりに、ブロック７０５において、新たなセルのＰＢＣＨの獲得が実行される。ブロック７０６において、新たなＳＩＢ１および制御情報が取得される。この後、ブロック７０７の判定が再び実行され、ＵＥが現在のセルにアクセスできうるかが判定される。この処理は、ＵＥがアクセスしうるセルが発見されるまで繰り返される。ブロック７０７の判定が、現在のセルがアクセスを禁じられていることを示すのであれば、ブロック７０８において、ＵＥは、ＲＡＣＨ手順のためのさらなるシステム情報を獲得する。ブロック７０９では、現在のセルにアクセスした後、ＵＥへのデータ転送が、セルによってリソースされた準静的なＴＤＭサブフレーム区分によって生じうる。
【００６９】
図７Ｂは、本開示の１つの態様を実施するように実行されるブロックの例を例示する機能ブロック図である。図７Ｂに例示されたランダム・アクセス手順は、図７Ａの代替処理において例示されているものと同じ処理ブロックの多くを含む。ＵＥは、ブロック７００においてアクセス手順を開始し、ブロック７０１において、ＰＳＳ／ＳＳＳ／ＰＢＣＨ干渉除去を用いて、近隣セル探索を実行し、ブロック７０４において、現在のセルのＰＳＳ／ＳＳＳを初期獲得し、ブロック７０５においてＰＢＣＨを取得し、ブロック７０６においてＳＩＢ１および制御情報を取得し、ブロック７０７において、現在のセルが、ＵＥによるアクセスを禁止されているのかを判定する。しかしながら、図７Ｂに例示される代替態様では、ＵＥは、ブロック７１０において、専用のリソースの位置を受信するために、セルｅＰＢＣＨの追加ビットを読み取る。アクセス処理のこの態様では、ＵＥは、ネットワーク領域のサブフレーム区分を識別するために、ＴＤＭ区分情報を取得しない。残りの手順は、前述した様に継続し、ブロック７０２において、近隣セル・リストから、次の候補セルが選択され、ブロック７０５において、新たなセルのＰＢＣＨが獲得され、ブロック７０６において、ＳＩＢ１および制御情報が取得され、ブロック７０７において、新たなセルがアクセスを禁じられているのかが判定される、ことによって、適切なセルが発見されるまで、初期アクセス手順が繰り返される。適切なセルが発見されると、ＵＥは、ブロック７０８において、ＲＡＣＨ手順を完了するために、追加のシステム情報を取得し、その後、ブロック７０９において、適切なサブフレーム区分を介して、データ転送を開始する。
【００７０】
図７Ｃは、本開示の１つの態様を実施するように実行されるブロックの例を例示する機能ブロック図である。繰り返すが、図７Ｃに例示されているランダム・アクセス手順は、図７Ａおよび図７Ｂの代替手順において例示されているものと同じ処理ブロックの多くを含む。ＵＥは、ブロック７００において、アクセス手順を開始し、ブロック７０１において、近隣セル探索を実行する。しかしながら、ＵＥは、ブロック７１１において、ＰＳＳ／ＳＳＳ／ＰＢＣＨ干渉除去を用いて近隣セルを探索する代わりに、位置情報によって近隣セルを識別するために利用可能なＰＲＳ信号を使用する。残りのアクセス手続きは、前述した代替手順に類似しており、ＵＥは、ブロック７０４において、現在のセルのＰＳＳ／ＳＳＳを獲得し、ブロック７０５において、ＰＢＣＨを取得し、ブロック７０６おいてＳＩＢ１および制御情報を取得し、ブロック７０７において、現在のセルが、ＵＥによるアクセスを禁じられているのかを判定する。現在のセルがＵＥによるアクセスを禁じられているのであれば、ブロック７０３において、ＴＤＭ区分情報が検索される。この情報は、ＵＥに対して、複数の近隣セルのための区分情報も提供する。そして、ＵＥは、ブロック７０２において、次のセル候補を選択する。残りの手順は、前述した様に継続し、ブロック７０５において、新たなセルのＰＢＣＨが獲得され、ブロック７０６において、ＳＩＢ１および制御情報が取得され、ブロック７０７において、新たなセルがアクセスを禁じられているのかが判定される、ことによって、適切なセルが発見されるまで、初期アクセス手順が繰り返される。適切なセルが発見されると、ＵＥは、ブロック７０８において、ＲＡＣＨ手順を完了するために、追加のシステム情報を取得し、その後、ブロック７０９において、適切なサブフレーム区分を介して、データ転送を開始する。
【００７１】
図７Ｄは、本開示の１つの態様を実施するように実行されるブロックの例を例示する機能ブロック図である。前述した様に、図７Ｄに例示されているランダム・アクセス手順は、図７Ａ−７Ｃの代替手順において例示されているように、同じ処理ビルディング・ブロックの多くを含む。ＵＥは、ブロック７００において、アクセス手順を開始し、ブロック７０１において、近隣セル探索を実行する。しかしながら、ＵＥは、ブロック７１２において、ＰＳＳ／ＳＳＳ／ＰＢＣＨ干渉除去と、近隣セルを識別するために利用可能なＰＲＳ信号との両方を用いて、近隣セルを求める探索を行う。次の手続きは、前述した代替手順に類似しており、ＵＥは、ブロック７０４において、現在のセルのＰＳＳ／ＳＳＳを獲得し、ブロック７０５において、ＰＢＣＨを取得し、ブロック７０６おいて、ＳＩＢ１および制御情報を取得し、ブロック７０７において、現在のセルが、ＵＥによるアクセスを禁じられているのかを判定する。現在のセルがＵＥによるアクセスを禁じられている場合、ＵＥは、専用のリソースの位置を受信するために、ブロック７１０において、ｅＰＢＣＨの追加のビットを読み取る。残りの手順は、前述した様に継続し、ブロック７０２において、近隣セル・リストから、次の候補セルが選択され、ブロック７０５において、新たなセルのＰＢＣＨが獲得され、ブロック７０６において、ＳＩＢ１および制御情報が取得され、ブロック７０７において、新たなセルがアクセスを禁じられているのかが判定される、ことによって、適切なセルが発見されるまで、初期アクセス手順が繰り返される。適切なセルが発見されると、ＵＥは、ブロック７０８において、ＲＡＣＨ手順を完了するために、追加のシステム情報を取得し、その後、ブロック７０９において、適切なサブフレーム区分を介して、データ転送を開始する。
【００７２】
１つの構成では、無線通信のために構成されたＵＥ１２０は、複数の近隣セルのうちのより弱いセルによって送信されたシステム信号から、同期パラメータを取得する手段と、より弱いセルのためのリソース・スケジューリング情報を取得する手段と、を含む。ここで、リソース・スケジューリング情報は、より弱いセルによってサービス提供される少なくとも１つの他のＵＥによる使用のために指定された少なくとも１つのリソースを示す。ここで、リソース・スケジューリング情報を取得する手段は、少なくとも部分的に、同期パラメータを用いる。ＵＥ１２０はさらに、リソース・スケジューリング情報を用いて、より弱いセルに関するブロードキャストされたシステム・ブロックを識別する手段と、ブロードキャストされたシステム・ブロックから制御情報を検索する手段とを含む。１つの態様では、前述した手段は、前述された手段によって記載された機能を実行するための、プロセッサ（単数または複数）、コントローラ／プロセッサ５８０、メモリ５８２、受信プロセッサ５５８、ＭＩＭＯ検出器５５６、復調器５５４ａ、およびアンテナ５５２ａでありうる。別の態様では、前述の手段は、前述の手段によって記述された機能を実行するように構成されたモジュールまたは任意の装置でありうる。
【００７３】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７４】
図６および図７Ａ−７Ｄにおける機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００７５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７７】
本明細書の開示に関連して説明された方法またはアルゴリズムのステップは、ハードウェアで直接に、プロセッサによって実行されるソフトウェア・モジュールで、またはこの２つの組合せで実現されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７８】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７９】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［発明１］ユーザ機器（ＵＥ）において制御情報を獲得するための無線通信の方法であって、
弱いセルによって送信されたシステム信号から同期パラメータを取得することと、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記弱いセルのリソース・スケジューリング情報を取得することと、
前記複数の近隣セルのうちの少なくとも１つの強いセルをキャンセルすることと、ここで、前記少なくとも１つの強いセルは、前記弱いセルからの信号と干渉する、
前記弱いセルからブロードキャストされたシステム・ブロックを、前記リソース・スケジューリング情報を用いて識別することと、
前記ブロードキャストされたシステム・ブロックから、制御情報を検索することと、
を備える方法。
［発明２］前記少なくとも１つの強いセルは、前記ＵＥによるアクセスが禁止される、発明１に記載の方法。
［発明３］前記同期パラメータを取得することは、
前記複数の近隣セルから、前記弱いセルを識別することと、
前記弱いセルによって送信されたシステム信号から、前記同期パラメータを復号することと
を備える、発明１に記載の方法。
［発明４］前記より弱いセルを識別することは、位置基準信号（ＰＲＳ）を用いて、前記より弱いセルを探索することを備える、発明３に記載の方法。
［発明５］前記リソース・スケジューリング情報を取得することは、
前記複数の近隣セルからの少なくとも１つのより強いセルのシステム情報ブロック（ＳＩＢ）から時分割多重（ＴＤＭ）サブフレーム区分情報を復号することを備え、
前記リソース・スケジューリング情報は、前記復号されたＴＤＭサブフレーム区分情報を備える、発明１に記載の方法。
［発明６］前記リソース・スケジューリング情報を取得することは、前記複数の近隣セルのうちの１つの、イボルブド・ブロードキャスト・チャネルにおいて、複数のビットから、専用のリソース識別情報を読み取ることを備え、
前記リソース・スケジューリング情報は、前記専用のリソース識別情報を用いて取得される、発明１に記載の方法。
［発明７］前記リソース・スケジューリング情報は、第２のＵＥによる使用のために指定された少なくとも１つのリソースを示し、
前記第２のＵＥは、前記弱いセルによってサービス提供される、発明１に記載の方法。
［発明８］無線通信のために構成されたユーザ機器（ＵＥ）であって、
弱いセルによって送信されたシステム信号から同期パラメータを取得する手段と、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記弱いセルのリソース・スケジューリング情報を取得する手段と、
前記複数の近隣セルのうちの少なくとも１つの強いセルをキャンセルする手段と、ここで、前記少なくとも１つの強いセルは、前記弱いセルからの信号と干渉する、
前記弱いセルからブロードキャストされたシステム・ブロックを、前記リソース・スケジューリング情報を用いて識別する手段と、
前記ブロードキャストされたシステム・ブロックから、制御情報を検索する手段と、
を備えるユーザ機器。
［発明９］前記少なくとも１つの強いセルは、前記ＵＥによるアクセスが禁止される、発明８に記載のユーザ機器。
［発明１０］前記同期パラメータを取得する手段は、
前記複数の近隣セルから、前記弱いセルを識別する手段と、
前記弱いセルによって送信されたシステム信号から、前記同期パラメータを復号する手段と
を備える、発明８に記載のユーザ機器。
［発明１１］前記より弱いセルを識別する手段は、位置基準信号（ＰＲＳ）を用いて、前記より弱いセルを探索する手段を備える、発明１０に記載のユーザ機器。
［発明１２］前記リソース・スケジューリング情報を取得する手段は、前記複数の近隣セルからの少なくとも１つのより強いセルのシステム情報ブロック（ＳＩＢ）から時分割多重（ＴＤＭ）サブフレーム区分情報を復号する手段を備え、
前記リソース・スケジューリング情報は、前記復号されたＴＤＭサブフレーム区分情報を備える、発明８に記載のユーザ機器。
［発明１３］前記リソース・スケジューリング情報を取得する手段は、前記複数の近隣セルのうちの１つの、イボルブド・ブロードキャスト・チャネルにおいて、複数のビットから、専用のリソース識別情報を読み取る手段を備え、
前記リソース・スケジューリング情報は、前記専用のリソース識別情報を用いて取得される、発明８に記載のユーザ機器。
［発明１４］前記リソース・スケジューリング情報は、第２のＵＥによる使用のために指定された少なくとも１つのリソースを示し、
前記第２のＵＥは、前記弱いセルによってサービス提供される、発明８に記載のユーザ機器。
［発明１５］ユーザ機器（ＵＥ）において制御情報を獲得するための無線ネットワークにおける無線通信のためのコンピュータ・プログラム製品であって、
記録されたプログラム・コードを有するコンピュータ読取可能な媒体を備え、前記プログラム・コードは、
弱いセルによって送信されたシステム信号から同期パラメータを取得するためのプログラム・コードと、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記弱いセルのリソース・スケジューリング情報を取得するためのプログラム・コードと、
前記複数の近隣セルのうちの少なくとも１つの強いセルをキャンセルするためのプログラム・コードと、ここで、前記少なくとも１つの強いセルは、前記弱いセルからの信号と干渉する、
前記弱いセルからブロードキャストされたシステム・ブロックを、前記リソース・スケジューリング情報を用いて識別するためのプログラム・コードと、
前記ブロードキャストされたシステム・ブロックから、制御情報を検索するためのプログラムコードと
を備える、コンピュータ・プログラム製品。
［発明１６］前記少なくとも１つの強いセルは、前記ＵＥによるアクセスが禁止される、発明１５に記載のコンピュータ・プログラム製品。
［発明１７］前記同期パラメータを取得するためのプログラム・コードは、
前記複数の近隣セルから、前記弱いセルを識別するためのプログラム・コードと、
前記弱いセルによって送信されたシステム信号から、前記同期パラメータを復号するためのプログラム・コードと
を備える、発明１５に記載のコンピュータ・プログラム製品。
［発明１８］前記より弱いセルを識別するためのプログラム・コードは、位置基準信号（ＰＲＳ）を用いて、前記より弱いセルを探索するためのプログラム・コードを備える、発明１７に記載のコンピュータ・プログラム製品。
［発明１９］前記リソース・スケジューリング情報を取得するためのプログラム・コードは、前記複数の近隣セルのうちの少なくとも１つのより強いセルのシステム情報ブロック（ＳＩＢ）から時分割多重（ＴＤＭ）サブフレーム区分情報を復号するためのプログラム・コードを備え、
前記リソース・スケジューリング情報は、前記復号されたＴＤＭサブフレーム区分情報を備える、発明１５に記載のコンピュータ・プログラム製品。
［発明２０］前記リソース・スケジューリング情報を取得するためのプログラム・コードは、前記複数の近隣セルのうちの１つの、イボルブド・ブロードキャスト・チャネルにおいて、複数のビットから、専用のリソース識別情報を読み取るためのプログラム・コードを備え、
前記リソース・スケジューリング情報は、前記専用のリソース識別情報を用いて取得される、発明１５に記載のコンピュータ・プログラム製品。
［発明２１］前記リソース・スケジューリング情報は、第２のＵＥによる使用のために指定された少なくとも１つのリソースを示し、
前記第２のＵＥは、前記弱いセルによってサービス提供される、発明１５に記載のコンピュータ・プログラム製品。
［発明２２］無線通信のために構成されたユーザ機器（ＵＥ）であって、
少なくとも１つのプロセッサと、
前記少なくとも１つのプロセッサに接続されたメモリとを備え、
前記少なくとも１つのプロセッサは、
弱いセルによって送信されたシステム信号から同期パラメータを取得し、ここで、前記弱いセルは、複数の近隣セルのうちの１つであり、前記ＵＥにおける、前記複数の近隣セルからの最強の信号を有さない、
前記同期パラメータに少なくとも部分的に基づいて、前記弱いセルのリソース・スケジューリング情報を取得し、
前記複数の近隣セルのうちの少なくとも１つの強いセルをキャンセルし、ここで、前記少なくとも１つの強いセルは、前記弱いセルからの信号と干渉する、
前記弱いセルからブロードキャストされたシステム・ブロックを、前記リソース・スケジューリング情報を用いて識別し、
前記ブロードキャストされたシステム・ブロックから、制御情報を検索する
ように構成された、ユーザ機器。
［発明２３］前記少なくとも１つの強いセルは、前記ＵＥによるアクセスが禁止される、発明２２に記載のユーザ機器。
［発明２４］前記同期パラメータを取得するための前記少なくとも１つのプロセッサの構成は、
前記複数の近隣セルから、前記弱いセルを識別し、
前記弱いセルによって送信されたシステム信号から、前記同期パラメータを復号する、
ための前記少なくとも１つのプロセッサの構成を備える、発明２２に記載のユーザ機器。
［発明２５］前記より弱いセルを識別するための前記少なくとも１つのプロセッサの構成は、位置基準信号（ＰＲＳ）を用いて、前記より弱いセルを探索するための前記少なくとも１つのプロセッサの構成を備える、発明２４に記載のユーザ機器。
［発明２６］前記リソース・スケジューリング情報を取得するための前記少なくとも１つのプロセッサの構成は、
前記複数の近隣セルのうちの少なくとも１つのより強いセルのシステム情報ブロック（ＳＩＢ）から時分割多重（ＴＤＭ）サブフレーム区分情報を復号するための前記少なくとも１つのプロセッサの構成を備え、
前記リソース・スケジューリング情報は、前記復号されたＴＤＭサブフレーム区分情報を備える、発明２２に記載のユーザ機器。
［発明２７］前記リソース・スケジューリング情報を取得するための前記少なくとも１つのプロセッサの構成は、前記複数の近隣セルのうちの１つの、イボルブド・ブロードキャスト・チャネルにおいて、複数のビットから、専用のリソース識別情報を読み取るための前記少なくとも１つのプロセッサの構成を備え、
前記リソース・スケジューリング情報は、前記専用のリソース識別情報を用いて取得される、発明２２に記載のユーザ機器。
［発明２８］前記リソース・スケジューリング情報は、第２のＵＥによる使用のために指定された少なくとも１つのリソースを示し、
前記第２のＵＥは、前記弱いセルによってサービス提供される、発明２２に記載のユーザ機器。
【図１】
0005559363.tif 000002
【図２】
0005559363.tif 000003
【図３】
0005559363.tif 000004
【図４】
0005559363.tif 000005
【図５】
0005559363.tif 000006
【図６】
0005559363.tif 000007
【図７Ａ】
0005559363.tif 000008
【図７Ｂ】
0005559363.tif 000009
【図７Ｃ】
0005559363.tif 000010
【図７Ｄ】
0005559363.tif 000011